(57)【要約】【課題】溶媒を高速で注入した場合であっても、吸着剤に吸着された被捕集剤を十分に回収することができる捕集管及びそれに用いられるフィルタを提供する【解決手段】吸着剤１６が収容される吸着剤収容室１０ｂと、吸着剤収容室１０ｂに気体が流入可能な流入孔２２と、流入孔２２と対向する位置に形成され、吸着剤収容室１０ｂ内の気体が流出可能な流出孔２０と、吸着剤収容室１０ｂ内の流出孔２０の位置に設けられ、吸着剤１６が通過不能なフィルタ１４と、を備えた捕集管において、フィルタ１４の流出孔２０の位置が流入孔２２に向かって突出していることを特徴とする。【選択図】図１
2008026130.tif 000002
【特許請求の範囲】
【請求項１】
吸着剤が収容される吸着剤収容室と、
該吸着剤収容室に気体が流入可能な流入孔と、
該流入孔と対向する位置に形成され、前記吸着剤収容室内の気体が流出可能な流出孔と、
前記吸着剤収容室内の前記流出孔の位置に設けられ、前記吸着剤が通過不能なフィルタと、
を備えた捕集管において、
前記フィルタの前記流出孔の位置が流入孔に向かって突出していることを特徴とする捕集管。
【請求項２】
吸着剤が収容される吸着剤収容室と、該吸着剤収容室に気体が流入可能な流入孔と、該流入孔と対向する位置に形成され、前記吸着剤収容室内の気体が流出可能な流出孔と、を備えた捕集管の前記吸着剤収容室内の前記流出孔の位置に設けられ、前記吸着剤が通過不能なフィルタにおいて、
前記フィルタの前記流出孔の位置が流入孔に向かって突出していることを特徴とするフィルタ。
【発明の詳細な説明】
【技術分野】
【０００１】
本発明は、大気中のホルムアルデヒドやベンゼンなどの被捕集物質を捕集する捕集管及びそれに用いられるフィルタに関する。
【背景技術】
【０００２】
従来から大気中のホルムアルデヒドやベンゼンなどの被捕集物質を捕集するものとして、様々なものが用いられており、例えば、シリカゲルや活性炭などの吸着剤が収容された吸着剤収容室内に大気を吸引することによって、大気中の被捕集物質を捕集する捕集管がある。この種の捕集管２８は、図５に示すように、吸着剤３０が収容される吸着剤収容室３２と、吸着剤収容室３２に気体が流入可能な流入孔３４と、流入孔３４と対向する位置に形成され、吸着剤収容室３２内の気体が流出可能な流出孔３６と、吸着剤収容室３２内の流出孔３６の位置に設けられ、吸着剤３０が通過不能なフィルタ３８と、を備えており、図６に示すように流出孔３６側に吸引ポンプ４０を接続し、流入孔３４から吸着剤収容室３２内に大気を吸引して、大気中の被捕集物質を捕集するよう構成されている（非特許文献１参照）。
【０００３】
このように吸着剤に捕集された被捕集物質は、注射器によって吸引孔から吸着剤収容室内に溶媒を注入して、溶媒とともに流出孔から被捕集物質を流し出すことによって、回収している。
【０００４】
【非特許文献１】２００４〜０５年  柴田科学総合カタログ  第４４７頁
【発明の開示】
【発明が解決しようとする課題】
【０００５】
しかしながら、吸着剤に吸着された被捕集剤を溶媒によって流し出す場合、吸着剤全域に溶媒を流し込む必要があるため、溶媒を一定の低速、例えば１ｍｌ／ｍｉｎで５分間注射器によって注入を続けなければならない。このため、回収に時間を要するとともに、分析者によって回収率が異なるという問題が生じることになる。
【０００６】
そこで、本発明は、溶媒を高速で注入した場合であっても、吸着剤に吸着された被捕集剤を十分に回収することができる捕集管及びそれに用いられるフィルタを提供することを目的とする。
【課題を解決するための手段】
【０００７】
以上の目的を達成するため、本発明は、吸着剤が収容される吸着剤収容室と、該吸着剤収容室に気体が流入可能な流入孔と、該流入孔と対向する位置に形成され、前記吸着剤収容室内の気体が流出可能な流出孔と、前記吸着剤収容室内の前記流出孔の位置に設けられ、前記吸着剤が通過不能なフィルタと、を備えた捕集管において、前記フィルタの前記流出孔の位置が流入孔に向かって突出していることを特徴とする。
【０００８】
また、本発明は、吸着剤が収容される吸着剤収容室と、該吸着剤収容室に気体が流入可能な流入孔と、該流入孔と対向する位置に形成され、前記吸着剤収容室内の気体が流出可能な流出孔と、を備えた捕集管の前記吸着剤収容室内の前記流出孔の位置に設けられ、前記吸着剤が通過不能なフィルタにおいて、前記フィルタの前記流出孔の位置が流入孔に向かって突出していることを特徴とする。
【０００９】
以上のように、本発明に係る捕集管及びそれに用いられるフィルタにおいては、流入孔から流入された溶媒がフィルタの突出部に当たり、その一部が吸着剤収容室の周囲まで至るので、低速で注入しなくても被吸着物質の回収を十分に行うことができる。
【発明の効果】
【００１０】
以上のように、本発明によれば、溶媒を高速で注入した場合であっても、吸着剤に吸着された被捕集剤を十分に回収することができる捕集管及びそれに用いられるフィルタを提供することができる。
【発明を実施するための最良の形態】
【００１１】
次に、本発明に係る捕集管の実施例について図面に基づいて説明する。図１は、本実施例に係る捕集管の側面断面図である。本実施例に係る捕集管は、図１に示すように、有底円筒状に形成された捕集管本体１０と、捕集管本体１０の開口部１０ａを塞ぐ蓋部材１２と、捕集管本体１０の内部底面に設けられたフィルタ１４と、捕集管本体１０内に収容された吸着剤１６と、を備えている。
【００１２】
捕集管本体１０は、内部に円柱状の空間１０ｂが形成されており、この空間１０ｂは、吸着剤１６の収容室として機能する。また、捕集管本体１０の底面１０ｃの中央には、約円筒状の突出部１８が形成されており、この突出部１８には、その先端の中心から捕集管本体１０内まで貫通する流出孔２０が形成されている。この突出部１８は、先端方向に向かって若干先細りとなっており、吸引ポンプ（図示省略）の吸引チューブに挿入して接続することができる。
【００１３】
蓋部材１２は、捕集管本体１０よりも大径な円柱状に形成され、裏面１２ａには、円筒状の突出部１２ｂが突出している。この円筒状の突出部１２ｂは、捕集管本体１０の開口１０ａに嵌合されるように、その外径が捕集管本体１０の内径と同径に形成されている。また蓋部材、中心には、表面から裏面に亘って貫通する流入孔２２が形成されており、この流入孔２２から捕集管本体１０の吸着剤収容室１０ｂ内に大気を流入することができる。
【００１４】
フィルタ１４は、図２に示すようにポリエチレンから成り、捕集管本体１０の吸着剤収容室１０ｂの形状に合わせて形成された円盤状の基台部１４ａと、基台部１４ａの表面中心から突出する円柱状の突出部１４ｂと、から構成されている。この突出部１４ｂの外径は、流入孔２２及び流出孔２０よりも大径に形成されている。
【００１５】
吸着剤収容室１０ｂに充填される吸着剤１６としては、シリカゲル、活性炭及びスチレンジビニルベンゼン共重合体などの合成吸着剤などを用いることができる。シリカゲルを用いた場合は、回収の際に純水やエタノールなどの極性溶媒を用い、活性炭や合成吸着剤を用いた場合は、回収の際にトルエンや二硫化炭素などの無極性溶媒を用いる。
【００１６】
本実施例に係る捕集管は、捕集管本体１０の突出部１８を吸引ポンプの吸引チューブに接続して、吸引ポンプによって吸引を行なうことによって、流入孔２２から大気を吸着剤収容室１０ｂに吸引して、ホルムアルデヒドなどの被吸着物質を吸着させて、流出孔２０から大気を流出させることによって、被吸着物質のサンプリングを行なうことができる。吸着剤に吸着された被吸着物質の回収は、従来と同様に注射器によって溶媒を流入孔２２から吸着剤収容室１０ｂ内に注入することによって行なわれるが、本実施例に係る捕集管においては、流入孔２２から流入された溶媒がフィルタ１４の突出部１４ｂに当たり、その一部が吸着剤収容室１０ｂの周囲まで至るので、低速で注入しなくても被吸着物質の回収を十分に行うことができる。
【００１７】
本実施例に係る捕集管に用いられるフィルタの第２の態様を図３に示す。この第２の態様のフィルタ２４は、円錐状に形成されている。さらに、フィルタの第３の態様を捕集管に設置した状態の側面断面図を図４に示す。この第３の態様のフィルタ２６は、吸着剤収容室１０ｂよりも小径で、かつ流出孔２０よりも大径な円柱状に形成されている。
【図面の簡単な説明】
【００１８】
【図１】本発明に係る捕集管の実施例の側面断面図である。
【図２】本実施例に係る捕集管に用いられるフィルタの第１の形態の斜視図である。
【図３】本実施例に係る捕集管に用いられるフィルタの第２の形態の斜視図である。
【図４】本実施例に係る捕集管に用いられるフィルタの第３の形態が捕集管に設置された状態の側面断面図である。
【図５】従来の捕集管の側面断面図である。
【図６】従来の捕集管よって大気の吸引を行なう状態を示す図である。
【符号の説明】
【００１９】
１０ｂ 吸着剤収容室
１４   フィルタ
１６   吸着剤
２０   流出孔
２２   流入孔
【図１】
2008026130.tif 000003
【図２】
2008026130.tif 000004
【図３】
2008026130.tif 000005
【図４】
2008026130.tif 000006
【図５】
2008026130.tif 000007
【図６】
2008026130.tif 000008